(57)【要約】【課題】アンテナ基板の面積を大きくすることなく、アンテナ部の受信感度を安定させると共に、機器本体内のノイズがアンテナ部に伝導しにくい構造にしてアンテナ部の受信感度の低下を抑制する仕組みを提供する。【解決手段】電子機器には、ＧＰＳアンテナモジュール５が搭載される。ＧＰＳアンテナモジュール５は、アンテナ基板３９の表面側に設けられるアンテナ部５Ａと、アンテナ基板３９の裏面側にグランド４５を介して設けられて、アンテナ部５Ａの駆動を制御する制御回路４４と、を備える。アンテナ部５Ａは、アンテナ基板３９の表面側に設けられた対向電極４８に、誘電体４３を介してアンテナ電極４７が積層される。そして、レリーズボタンを保持するトップシャーシ４１が対向電極４８に電気的に接続され、トップシャーシ４０がグランド４５に電気的に接続されると共に、メイン基板に実装された電源回路に電気的に接続される。【選択図】図６
2012161011.tif 000002
【特許請求の範囲】
【請求項１】
アンテナ基板と、前記アンテナ基板の表面側に設けられるアンテナ部と、前記アンテナ基板の裏面側にグランドを介して設けられ、前記アンテナ部の駆動を制御する制御回路と、を備えるアンテナモジュールが搭載され、
前記アンテナ部は、前記アンテナ基板の表面側に設けられた対向電極に、誘電体を介してアンテナ電極が積層される電子機器であって、
前記対向電極に電気的に接続される第１の金属体と、
前記グランドに電気的に接続されると共に、メイン基板に実装された電源回路に電気的に接続される第２の金属体と、を備えることを特徴とする電子機器。
【請求項２】
前記第１の金属体は、操作ボタンを保持することを特徴とする請求項１に記載の電子機器。
【請求項３】
前記制御回路は、前記アンテナ電極の出力を増幅する増幅器を備えることを特徴とする請求項１又は２に記載の電子機器。
【請求項４】
前記第２の金属体は、第３の金属体を介して前記メイン基板に電気的に接続され、
前記メイン基板には、前記電源回路から前記第３の金属体が接続される部分へ繋がるグランドパターンにスリットが設けられることを特徴とする請求項１乃至３のいずれか一項に記載の電子機器。
【請求項５】
前記第２の金属体に、複数の曲げ部、及び絞り部が設けられることを特徴とする請求項１乃至４のいずれか一項に記載の電子機器。
【請求項６】
前記第２の金属体に、電磁雑音抑制シートが貼り付けられることを特徴とする請求項５に記載の電子機器。
【請求項７】
前記アンテナモジュールは、ＧＰＳアンテナモジュールであることを特徴とする請求項１乃至５のいずれか一項に記載の電子機器。
【発明の詳細な説明】
【技術分野】
【０００１】
本発明は、ＧＰＳ等のアンテナモジュールを搭載したデジタルカメラ等の電子機器に関する。
【背景技術】
【０００２】
デジタルカメラにＧＰＳアンテナモジュールを設けることが知られている。このようなデジタルカメラでは、ＧＰＳアンテナモジュールで受信した測位信号を基にカメラが存在する位置を検出している（特許文献１）。
【先行技術文献】
【特許文献】
【０００３】
【特許文献１】特開２００３−３１５８９０号公報
【発明の概要】
【発明が解決しようとする課題】
【０００４】
デジタルカメラ等に搭載されるＧＰＳアンテナモジュールは、一般に、図１１に示すように、アンテナ基板１３９の表面側に、アンテナ部１００が設けられ、アンテナ基板１３９の裏面側に、アンテナ部１００の駆動を制御する制御回路１４４が設けられる。
【０００５】
アンテナ部１００は、アンテナ基板１３９の表面側に設けられた対向電極１４８に、セラミック等の誘電体１４３を介してアンテナ電極１４７が積層されて、ＧＰＳ衛星からの信号を受信する。
【０００６】
このようなＧＰＳアンテナモジュールでは、対向電極１４８の面積が大きいほど、アンテナ電極１４７と対向電極１４８との間に発生する信号が安定する。また、発生した信号を増幅する制御回路１４４の信号処理部のグランド１４５と対向電極１４８とを信号処理部の入力付近で接続することで、グランド１４５側からアンテナ部１００へノイズ信号が侵入するのを防止することができる。
【０００７】
ところで、対向電極１４８の面積を増加させるためには、アンテナ基板１３９の面積を大きくすることが考えられるが、デジタルカメラ等の小型化に伴い、アンテナ基板１３９の大きさには制限がある。
【０００８】
そこで、図１１に示すように、金属体１４０を対向電極１４８と電気的に接続することで、見かけ上の対向電極１４８の面積を増加させ、これにより、アンテナ基板１３９の面積を大きくすることなく、アンテナ部１００の受信感度を安定させるようにしている。
【０００９】
しかし、信号処理部のグランド１４５は、カメラ本体のメイン基板のグランドに接続されているため、対向電極１４８は、アンテナ基板１３９上のパターン及び金属体１４０を介してメイン基板のグランドと接続される。
【００１０】
このため、メイン基板に実装された電源回路等で発生するノイズが金属体１４０及びアンテナ基板１３９を介して対向電極１４８に伝導してしまう。この結果、対向電極１４８のグランド電位がノイズによって乱されて、アンテナ部１００に繋がった信号処理部の入力部のグランド１４５側の電位が不安定になり、アンテナ部１００でのＧＰＳ電波の受信感度が低下する。
【００１１】
そこで、本発明は、アンテナ基板の面積を大きくすることなく、アンテナ部の受信感度を安定させると共に、機器本体内のノイズがアンテナ部に伝導しにくい構造にしてアンテナ部の受信感度の低下を抑制する仕組みを提供することを目的とする。
【課題を解決するための手段】
【００１２】
上記目的を達成するために、本発明の電子機器は、アンテナ基板と、前記アンテナ基板の表面側に設けられるアンテナ部と、前記アンテナ基板の裏面側にグランドを介して設けられ、前記アンテナ部の駆動を制御する制御回路と、を備えるアンテナモジュールが搭載され、前記アンテナ部は、前記アンテナ基板の表面側に設けられた対向電極に、誘電体を介してアンテナ電極が積層される電子機器であって、前記対向電極に電気的に接続される第１の金属体と、前記グランドに電気的に接続されると共に、メイン基板に実装された電源回路に電気的に接続される第２の金属体と、を備えることを特徴とする。
【発明の効果】
【００１３】
本発明によれば、アンテナ基板の面積を大きくすることなく、アンテナ部の受信感度を安定させることができ、また、機器本体内のノイズがアンテナ部に伝導しにくい構造になるため、アンテナ部の受信感度の低下を抑制することができる。
【図面の簡単な説明】
【００１４】
【図１】（ａ）は本発明の電子機器の第１の実施形態であるデジタルカメラを正面側から見た外観斜視図、（ｂ）は（ａ）に示すデジタルカメラを背面側から見た外観斜視図である。
【図２】図１（ａ）に示すデジタルカメラの分解斜視図である。
【図３】図２を背面側から見た分解斜視図である。
【図４】ＧＰＳアンテナモジュールを説明するための分解斜視図である。
【図５】図４の背面側から見た分解斜視図である。
【図６】ＧＰＳアンテナモジュールとトップシャーシとの取付構造を模式的に示す断面図である。
【図７】ＧＰＳアンテナモジュールとトップシャーシとの取付構造の要部を示す図である。
【図８】トップシャーシ、メインシャーシ及びメイン基板の組立体の斜視図である。
【図９】本発明の電子機器の第２の実施形態であるデジタルカメラにおいて、メイン基板におけるメインシャーシの取付部分を示す図である。
【図１０】本発明の電子機器の第３の実施形態であるデジタルカメラにおいて、ＧＰＳアンテナモジュールの取付部分の構造を示す斜視図である。
【図１１】従来のＧＰＳアンテナモジュールを説明するための図である。
【発明を実施するための形態】
【００１５】
以下、本発明の実施形態を図面を参照して説明する。
【００１６】
（第１の実施形態）
図１（ａ）は本発明の電子機器の第１の実施形態であるデジタルカメラを正面側から見た外観斜視図、図１（ｂ）は図１（ａ）に示すデジタルカメラを背面側から見た外観斜視図である。
【００１７】
図１（ａ）に示すように、本実施形態のデジタルカメラは、カメラ本体１の正面側に、ズーム式のレンズ鏡筒２が設けられ、カメラ本体１の上面部に、ポップアップ式のストロボユニット３、及びレリーズボタン４が設けられている。レリーズボタン４の周囲には、ズームレバー３５が設けられ、ズームレバー３５とストロボユニット３との間には、ＧＰＳアンテナモジュール５の外装が突出して配置されている。
【００１８】
カメラ本体１の背面側には、図１（ｂ）に示すように、液晶等のディスプレイ６、電源ボタン７、モードダイヤル８、及び操作ボタン群９が設けられている。また、カメラ本体１を背面側から見て右側の側面には、不図示の外部出力ケーブル用のコネクタを覆うコネクタ蓋１０が開閉可能に設けられている。
【００１９】
図２は図１（ａ）に示すデジタルカメラの分解斜視図、図３は図２を背面側から見た分解斜視図である。
【００２０】
図２及び図３に示すように、フロントカバー１１は、カメラ本体１の正面側及び上面側の外装を形成している。フロントカバー１１には、レリーズボタン４、ズームレバー３５、トップ基板３７、トップシャーシ４１により構成されるレリーズ部やＧＰＳアンテナモジュール５が組み込まれる。
【００２１】
トップ基板３７には、レリーズボタン４とズームレバー３５に対応する電気接点、ステレオマイクのＲ側マイク３８、スピーカ３６、及びアンテナ基板３９（図４参照）とのコネクタが実装されている。また、トップ基板３７には、メイン基板１３と接続するためのコネクタが設けられている。トップ基板３７は、トップシャーシ４１に位置決め固定された状態でビス等によりフロントカバー１１に固定される。
【００２２】
アンテナ基板３９には、トップ基板３７と接続するためのコネクタ、及びＧＰＳアンテナモジュール５が組み込まれる。アンテナ基板３９は、トップシャーシ４１に対して一部が重なるように取り付けられ、トップシャーシ４１にビス等で固定される。
【００２３】
トップシャーシ４０には、アンテナ基板３９の一部が重なるように取り付けられ、トップシャーシ４０は、フロントカバー１１にビス等により固定される。
【００２４】
トップシャーシ４０、及びトップシャーシ４１は、カメラ本体１全体のグランドと同電位になるようメインシャーシ４２にビス等によって接続されており、メインシャーシ４２は、メイン基板１３のグランドに接続される。
【００２５】
リアカバー１２には、ディスプレイ６、電源ボタン７、モードダイヤル８、操作ボタン群９等が配置されている。ディスプレイ６の信号線、及びディスプレイ６のバックライトの信号線は、それぞれＬＣＤ基板１４、及びバックライト基板１５に配線され、メイン基板１３のコネクタに接続される。
【００２６】
モードダイヤル８の信号線は、モードダイヤル基板１６に配線され、メイン基板１３のコネクタに接続される。操作ボタン群９のジョグダイヤルの信号線は、操作系基板１７に配線され、メイン基板１３のコネクタに接続される。
【００２７】
フロントカバー１１とリアカバー１２とは、不図示の係止爪によって互いに固定され、ビス等によりバッテリボックス１８やメインシャーシ４２等の構造体に固定される。
【００２８】
メイン基板１３は、バッテリボックス１８にメインシャーシ４２を介してビス等により固定される。メイン基板１３には、カードスロット１９、ＨＤＭＩコネクタ２０、電源スイッチ２１、バッテリボックス１８の蓋検出スイッチ２２、システム回路部品２３、及び電源回路部品２４が実装されている。メイン基板１３に実装されたシステム回路部品２３によって、デジタルカメラ全体の駆動制御を行う。
【００２９】
カメラ本体１を正面側から見てレンズ鏡筒２の左側には、バッテリを挿入するためのバッテリボックス１８が配置されている。バッテリボックス１８の上部の接続系基板２５に実装された不図示のバッテリコネクタと不図示のバッテリとを電気的に接続することでカメラの電源が供給される。バッテリボックス１８の側面には、ストラップ取付用部材２６が取り付けられている。バッテリボックス１８は、ビス等によりレンズ鏡筒２に固定される。
【００３０】
接続系基板２５には、ＵＳＢケーブルやＡＶケーブルなどを接続するための複合コネクタ２７が実装されている。また、接続系基板２５には、ＡＦ用補助光２８が実装されている。接続系基板２５は、先端の端子部がメイン基板１３のコネクタに電気的に接続されている。
【００３１】
カメラ本体１を正面側から見てレンズ鏡筒２の右側には、ストロボユニット３がビス等により固定されている。ストロボユニット３は、不図示のメインコンと不図示のキセノン管とストロボ基板２９とがケーブルによって接続されている。
【００３２】
また、トリガー基板３０は、ストロボ基板２９に半田付けによって接続されている。不図示のトリガーコイルにトリガー基板３０を通じて電圧を供給することで、キセノン管が発光する。ストロボ基板２９は、光学系基板３１によってメイン基板１３に接続されている。
【００３３】
ストロボユニット３には、ステレオマイクのＬ側マイク３２が取り付けられており、Ｌ側マイク３２は、マイク基板３３に実装されている。マイク基板３３は、レンズ鏡筒２の背面を通ってメイン基板１３のコネクタに接続される。
【００３４】
レンズ鏡筒２の背面には、不図示のセンサが配置され、センサは、レンズ鏡筒２のレンズを通過した画像情報を取り込む。センサは、画像系基板３４に実装されており、画像系基板３４は、コネクタによってメイン基板１３に接続される。
【００３５】
次に、図４〜図８を参照して、ＧＰＳアンテナモジュール５について説明する。
【００３６】
図４はＧＰＳアンテナモジュール５を説明するための分解斜視図、図５は図４の背面側から見た分解斜視図、図６はＧＰＳアンテナモジュール５とトップシャーシ４０，４１との取付構造を模式的に示す断面図である。図７はＧＰＳアンテナモジュール５とトップシャーシ４０，４１との取付構造の要部を示す図、図８はトップシャーシ４０、メインシャーシ４２，４６及びメイン基板１３の組立体の斜視図である。
【００３７】
図４〜図７を参照して、ＧＰＳアンテナモジュール５は、アンテナ基板３９の表面側に、アンテナ部５Ａが設けられ、アンテナ基板３９の裏面側に、アンテナ部５Ａの駆動を制御する制御回路４４がグランド４５を介して設けられる。
【００３８】
アンテナ部５Ａは、アンテナ基板３９の表面側に設けられた対向電極４８に、セラミック等の誘電体４３を介してアンテナ電極４７が積層されて、ＧＰＳ衛星からの信号を受信する。この誘電体４３により、アンテナ電極４７と対向電極４８との間のインピーダンスが増加し、より大きな電圧が得られるため、ＧＰＳ衛星からの信号を増幅させて受信することが可能となる。また、対向電極４８は、アンテナ部５Ａの受信を安定させるためのグランド電極として用いられる。
【００３９】
制御回路４４は、シールドケースで覆われており、制御回路４４からの信号は、アンテナ基板３９の制御回路４４側に配置されたコネクタからトップ基板３７を介してメイン基板１３へ出力される。また、制御回路４４には、増幅器５５が搭載されており、増幅器５５は、ＧＰＳ衛星から受信した信号や制御回路４４からの信号を増幅させる。
【００４０】
制御回路４４側のグランド４５には、トップシャーシ４０がビス５３によって電気的に接続されている。また、制御回路４４側のグランド４５と対向電極４８とは、アンテナ基板３９に設けられたスルーホールによってアンテナ基板３９の表裏で接続されている。トップシャーシ４０は、メインシャーシ４２にビスによって電気的に接続されている。ここで、トップシャーシ４０は、本発明の第２の金属体の一例に相当する。
【００４１】
メインシャーシ４２は、メイン基板１３の表層のグランドパターンと電気的に接続されている。これにより、ＧＰＳアンテナモジュール５は、メインシャーシ４２に機械的に結合されると共に、カメラ本体１のグランドに電気的に接続される。
【００４２】
また、メイン基板１３のメインシャーシ４２と反対側の表層のグランドパターンは、メインシャーシ４６と面を接するように接続されており、メインシャーシ４６は、ビスによってメイン基板１３及びメインシャーシ４２と電気的に接続されている。
【００４３】
ところで、メイン基板１３上の電源回路２４は、ＧＰＳアンテナモジュール５に対して悪影響を及ぼすノイズを発生させる。電源回路２４から発生したノイズは、メイン基板１３の表層のグランドパターンを伝導し、メインシャーシ４６からビスを介してメインシャーシ４２へと伝導する。メインシャーシ４２へ伝導したノイズは、さらにビス、及びトップシャーシ４０を介してアンテナ基板３９の制御回路４４側のグランド４５へ伝導する。
【００４４】
しかし、アンテナ部５Ａは、制御回路４４側とアンテナ基板３９を挟んで反対側に配置されているため、高周波である伝導ノイズは、その直進性によりアンテナ部５Ａへ伝導しにくくなる。これにより、対向電極４８のグランド電位が安定してＧＰＳアンテナモジュール５の受信感度が安定する。
【００４５】
また、レリーズボタン４をトップ基板３７を介して保持するトップシャーシ４１は、アンテナ基板３９のアンテナ部５Ａ側に配置された対向電極４８にビス５４によって電気的に接続されている。アンテナ基板３９の対向電極４８にトップシャーシ４１が電気的に接続されることにより、アンテナ電極４７に対向してグランド電位となる面積は、アンテナ電極４７の面積に対して大きくなる。ここで、トップシャーシ４１は、本発明の第１の金属体の一例に相当する。
【００４６】
ＧＰＳ衛星から発信された電波の信号５６は、アンテナ電極４７に到達するとともにトップシャーシ４１にも到達する。電波の速度とトップシャーシ４１や対向電極４８等の電気的な導体を伝わる電気信号の速さとは同じである。
【００４７】
このため、図６を参照して、アンテナ電極４７から離れたトップシャーシ４１に到達した信号５６は、その離れた距離／受信部からアンテナ電極４７の対向部までの導体の長さ分の距離だけ遅れる。従って、アンテナ電極４７と対向電極４８との間では、時間的にずれた信号５６に対応する電位が発生する。
【００４８】
ＧＰＳの電波は、数十センチメートルの波長であるため、数センチメートルのアンテナ部でも両極間に十分検知できる位相差を発生させることができる。数十センチメートルの波長を数センチメートルの位相差で検出することは、信号の微分値を算出しながら信号の数をカウントする処理となるので、位相が大きいほど電波の山の数／ＧＰＳ衛星までの距離を計測しやすくなる。
【００４９】
また、トップシャーシ４１は、比較的長い部材であるため、アンテナ電極４７に近いビス５４の近傍の部分と該部分から距離が離れた部分との時間的にずれのある信号５６が加算されて平均化される。これにより、信号としての急峻さが失われ、対向電極４８の信号による電位の変化は、アンテナ電極４７に発生する電位の変化より小さくなる。このため、対向電極４８とアンテナ電極４７との間の電位差が識別しやすくなって受信感度が向上する。
【００５０】
また、ＧＰＳアンテナモジュール５の受信感度は、ＧＰＳ衛星からアンテナ電極４７へ到達する信号５６と、ＧＰＳ衛星からトップシャーシ４１、ビス５４、対向電極４８を通ってアンテナ部５Ａへ到達する信号５６との位相差５７が大きいほど高くなる。
【００５１】
ここで、上述したように、アンテナ電極４７に対向してグランド電位となる面積が大きくなることにより、アンテナ電極４７と対向電極４８との位相差５７が大きくなり、ＧＰＳアンテナモジュール５の受信感度が向上する。なお、トップシャーシ４１は、電源回路２４が搭載されているメイン基板１３とは直接電気的に接続されていないため、電源回路２４から各シャーシを介して伝導してくるノイズの影響は受けない。
【００５２】
また、電源回路２４で発生するノイズの伝導経路であるメインシャーシ４２、及びトップシャーシ４０には、図８に示すように、複数の曲げ部や絞り部が形成されている。
【００５３】
例えば、メインシャーシ４２のメイン基板１３とビスで接続されている部分の近傍において、メインシャーシ４２の第１の曲げ部４２ａにより、メインシャーシ４２の第１の面から９０度曲がったメインシャーシ４２の第２の面が形成される。
【００５４】
メインシャーシ４２の第２の面では、メインシャーシ４２の第１の絞り部４２ｂによって形状が絞られ、さらにメインシャーシ４２の第２の曲げ部４２ｃによりメインシャーシ４２の第２の面から９０度曲がったメインシャーシ４２の第３の面が形成される。
【００５５】
メインシャーシ４２の第３の面では、メインシャーシ４２の第２の絞り部４２ｄによって形状が絞られ、さらにメインシャーシ４２の第３の曲げ部４２ｅによりメインシャーシ４２の第３の面から９０度曲がったメインシャーシ４２の第４の面が形成される。
【００５６】
メインシャーシ４２の第４の面では、クランク状に曲げられたメインシャーシ４２の第４の曲げ部４２ｆによってメインシャーシ４２の第５の面が形成される。
【００５７】
メインシャーシ４２の第５の面では、メインシャーシ４２の第５の曲げ部４２ｇによりメインシャーシ４２の第５の面から９０度曲がったメインシャーシ４２の第６の面が形成される。
【００５８】
メインシャーシ４２の第６の面では、メインシャーシ４２の接続部４２ｈとトップシャーシ４０の接続部４０ａとがビスを介して機械的・電気的に接続される。
【００５９】
トップシャーシ４０の接続部４０ａが配置された第１の面では、トップシャーシ４０の絞り部４０ｂによって形状が絞られ、さらにトップシャーシ４０の曲げ部４０ｃによりトップシャーシ４０の第１の面から９０度曲がった第２の面が形成される。
【００６０】
トップシャーシ４０の第２の面では、トップシャーシ４０の接続部４０ｄとアンテナ基板３９とがビス５３によって接続され、さらにフロントカバー１１へビスによって固定される。
【００６１】
高周波である伝導ノイズは、直進性が強く、シャーシの曲げ部で電気信号が電波となって外部に放出されるため、電気信号としてのノイズの伝導が抑制される。これにより、電源回路２４で発生したノイズがＧＰＳアンテナモジュール５へ伝わりにくくなり、ＧＰＳアンテナモジュール５の受信感度の低下を抑制することができる。
【００６２】
なお、高周波の電流は、回路の導線を曲げたり、回路の導線に出っ張りやくびれを設けると、電流から電波に変わって空中に放出される。このため、空中に放出された電波がアンテナ電極４７にノイズとして入力されるのを回避するためには、シャーシ等の電気接続部はできるだけ単純な形状が好ましい。
【００６３】
以上説明したように、本実施形態では、レリーズボタン４が実装されているトップ基板３７を固定するためのトップシャーシ４１をアンテナ基板３９の対向電極４８に電気的に接続することで、アンテナ電極４７に対向してグランド電位となる面積を大きくしている。これにより、アンテナ基板３９の面積を大きくすることなく、アンテナ部５Ａの受信感度を安定させることができる。
【００６４】
また、本実施形態では、ノイズの発生源となる電源回路２４が実装されたメイン基板１３に接続されるトップシャーシ４０を制御回路４４側のグランド４５に電気的に接続している。これにより、カメラ本体１内のノイズがアンテナ部５Ａに伝導しにくい構造となり、アンテナ部５Ａの受信感度の低下を抑制することができる。
【００６５】
（第２の実施形態）
次に、図９を参照して、本発明の電子機器の第２の実施形態であるデジタルカメラについて説明する。なお、上記第１の実施形態に対して重複する部分については、その説明を省略し、相違点についてのみ説明する。ここで、メインシャーシ４６は、本発明の第３の金属体の一例に相当する。
【００６６】
図９は、メイン基板１３におけるメインシャーシ４６の取付部分を示す図である。
【００６７】
本実施形態では、図９に示すように、メインシャーシ４６がビスを介して接続されるメイン基板１３の表層において、電源回路２４からビスへ繋がるグランドパターンにスリット５０を設けている。また、メイン基板１３のスリット５０を間に挟む位置には、スルーホール４９が形成されている。
【００６８】
これにより、電源回路２４で発生した高周波のノイズがメイン基板１３の表層のグランドパターンを伝導する際に、スリット５０の位置で伝導が遮断され、メインシャーシ４６へのノイズの伝導が遮断される。この結果、アンテナ基板３９へ到達するノイズを抑制することができ、ＧＰＳアンテナモジュール５のアンテナ部５Ａの受信感度の低下を抑制することができる。その他の構成、及び作用効果は、上記第１の実施形態と同様である。
【００６９】
（第３の実施形態）
次に、図１０を参照して、本発明の電子機器の第３の実施形態であるデジタルカメラについて説明する。なお、上記第１の実施形態に対して重複する部分については、その説明を省略し、相違点についてのみ説明する。
【００７０】
図１０は、ＧＰＳアンテナモジュール５の取付部分の構造を示す斜視図である。
【００７１】
本実施形態では、図１０に示すように、トップシャーシ４０、及びトップ基板３７に電磁雑音抑制シート５１を貼り付けている。トップ基板３７は、メイン基板１３とアンテナ基板３９の配線とを接続する。
【００７２】
電磁雑音抑制シート５１は、特殊な磁性材料をシート状に加工したもので、ノイズ発生源やノイズ伝導経路に貼り付けると１０ＭＨｚ〜５ＧＨｚまでの高周波帯域のノイズを抑制することができる。電磁雑音抑制シート５１を貼り付けた部分では、電磁雑音抑制シート５１は、高周波電流であるノイズが発生した回路に対して抵抗性のインピーダンスとして働き、高周波電流そのものを除去する。
【００７３】
これにより、メイン基板１３に実装された電源回路２４で発生するノイズがアンテナ基板３９への伝導経路であるトップシャーシ４０やトップ基板３７の信号線に伝導しにくくなり、ＧＰＳアンテナモジュール５の受信感度の低下を抑制することができる。その他の構成、及び作用効果は、上記第１の実施形態と同様である。
【００７４】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００７５】
４  レリーズボタン
５  ＧＰＳアンテナモジュール
５Ａ  アンテナ部
１３  メイン基板
３９  アンテナ基板
４０，４１  トップシャーシ
４４  制御回路
４５  グランド
４７  アンテナ電極
４８  対向電極
【図１】
2012161011.tif 000003
【図２】
2012161011.tif 000004
【図３】
2012161011.tif 000005
【図４】
2012161011.tif 000006
【図５】
2012161011.tif 000007
【図６】
2012161011.tif 000008
【図７】
2012161011.tif 000009
【図８】
2012161011.tif 000010
【図９】
2012161011.tif 000011
【図１０】
2012161011.tif 000012
【図１１】
2012161011.tif 000013